(57)【要約】【課題】発光素子を光源とした照明器具の配光を簡単に変更できる照明器具を提供すること。【解決手段】反射鏡４と、ＣＯＢ型ＬＥＤ１７と、反射鏡４の内部に設けられ、ＣＯＢ型ＬＥＤ１７から出射された光を反射により反射鏡４に入射する光を減らすＬＥＤ光源反射鏡１１と、ＬＥＤ光源反射鏡１１から出射された光の配光を変更する配光変更用反射鏡２６１と、を有するＬＥＤ照明器具２００であって、配光変更用反射鏡２６１は交換自在である構成とした。【選択図】図１
2015181100.tif 000002
【特許請求の範囲】
【請求項１】
反射鏡と、
発光素子と、
前記反射鏡の内部に設けられ、前記発光素子から出射された光を反射または屈折により前記反射鏡に入射する光を減らす配光制御部材と、
前記配光制御部材から出射された光の配光を変更する光学部材と、
を有する照明器具であって、
前記光学部材は交換自在であることを特徴とする照明器具。
【請求項２】
前記光学部材は配光変更用反射鏡であり、
前記配光変更用反射鏡を交換することにより出射角度が選択可能であることを特徴とする請求項１記載の照明器具。
【請求項３】
前記光学部材はレンズまたはルーバーであることを特徴とする請求項１記載の照明器具。
【請求項４】
前記配光変更用反射鏡の照射開口に第二の光学部材を設け、
前記第二の光学部材は交換自在であることを特徴とする請求項２記載の照明器具。
【請求項５】
前記第二の光学部材はレンズまたはルーバーであることを特徴とする請求項４記載の照明器具。
【請求項６】
反射鏡と、
発光素子と、
前記反射鏡の内部に設けられ、前記発光素子から出射された光を反射または屈折により前記反射鏡に入射する光を減らす配光制御部材と、
前記配光制御部材から出射された光の配光を変更する光学部材と、
を有する照明器具であって、
前記光学部材は前記反射鏡の照射開口に全周に亘ってカシメ結合される枠体により支持されていることを特徴とする照明器具。
【請求項７】
前記反射鏡の照射開口を塞ぐ前面カバーと、
前記前面カバーの周縁部の全周に亘って設けられたパッキンと、を備え、
前記前面カバー、前記パッキン、及び前記枠体を、
前記反射鏡の照射開口に全周に亘ってカシメ結合したことを特徴とする請求項６記載の照明器具。
【発明の詳細な説明】
【技術分野】
【０００１】
本発明は、例えば、駐車場や壁面等の屋外、或いは屋内の投光照明に用いて好適な照明器具に関する。
【背景技術】
【０００２】
従来、駐車場や壁面等の屋外、或いは屋内の投光照明に用いて好適な照明器具には、光源に高出力化が容易なＨＩＤ（High Intensity Discharge）ランプを用いたＨＩＤ照明器具が利用されている（例えば、特許文献１参照）。この照明器具は、回転放物面を有する反射鏡に設けた円形の挿入開口からＨＩＤランプを挿入し、当該反射鏡の焦点位置にＨＩＤランプの発光部を配置し、前記ＨＩＤランプの放射光を前記反射鏡で反射させ略平行光化して照射するように構成されている。
【先行技術文献】
【特許文献】
【０００３】
【特許文献１】特開２０１１−８１９５４号公報
【発明の概要】
【発明が解決しようとする課題】
【０００４】
ところで近年では、例えば発光素子の一例たるＬＥＤを用いた、ＬＥＤ照明器具が普及している。しかしながら、ＬＥＤ照明器具において、簡単に配光を変更することはできなかった。
【０００５】
本発明は、上述した事情に鑑みてなされたものであり、発光素子を光源とした照明器具の配光を簡単に変更できる照明器具を提供することを目的とする。
【課題を解決するための手段】
【０００６】
上記目的を達成するために、本発明は、反射鏡と、発光素子と、前記反射鏡の内部に設けられ、前記発光素子から出射された光を反射または屈折により前記反射鏡に入射する光を減らす配光制御部材と、前記配光制御部材から出射された光の配光を変更する光学部材と、を有する照明器具であって、前記光学部材は交換自在であることを特徴とする。
【０００７】
また本発明は、上記照明器具において、前記光学部材は配光変更用反射鏡であり、前記配光変更用反射鏡を交換することにより出射角度が選択可能であることを特徴とする。
【０００８】
また本発明は、上記照明器具において、前記光学部材はレンズまたはルーバーであることを特徴とする。
【０００９】
また本発明は、上記照明器具において、前記配光変更用反射鏡の照射開口に第二の光学部材を設け、前記第二の光学部材は交換自在であることを特徴とする。
【００１０】
また本発明は、上記照明器具において、前記第二の光学部材はレンズまたはルーバーであることを特徴とする。
【００１１】
また本発明は、上記目的を達成するために、反射鏡と、発光素子と、前記反射鏡の内部に設けられ、前記発光素子から出射された光を反射または屈折により前記反射鏡に入射する光を減らす配光制御部材と、前記配光制御部材から出射された光の配光を変更する光学部材と、を有する照明器具であって、前記光学部材は前記反射鏡の照射開口に全周に亘ってカシメ結合される枠体により支持されていることを特徴とする。
【００１２】
また本発明は、上記照明器具において、前記反射鏡の照射開口を塞ぐ前面カバーと、前記前面カバーの周縁部の全周に亘って設けられたパッキンと、を備え、前記前面カバー、前記パッキン、及び前記枠体を、前記反射鏡の照射開口に全周に亘ってカシメ結合したことを特徴とする。
【発明の効果】
【００１３】
本発明によれば、発光素子を光源とした照明器具の配光を簡単に変更できる。
【図面の簡単な説明】
【００１４】
【図１】本発明の第１実施形態に係るＬＥＤ照明器具の図である。
【図２】同実施形態に係るＬＥＤ光源ユニットの分解斜視図である。
【図３】同実施形態に係るＬＥＤ光源ユニットの図である。
【図４】ＬＥＤ光源反射鏡の前面開口に配置される保護カバーを示した図である。
【図５】同実施形態に係るＬＥＤ照明器具の図である。
【図６】同実施形態に係るＨＩＤ照明器具の図である。
【図７】ＨＩＤ照明器具の図である。
【図８】本発明の第２実施形態に係るＬＥＤ照明器具の構成を示す斜視図である。
【図９】同実施形態に係るＬＥＤ照明器具の正面図である。
【図１０】同実施形態に係るＬＥＤ照明器具の一部断面図である。
【図１１】配光変更ユニットの構成を説明するための組立図である。
【図１２】配光変更ユニットが支持する光学部材の変形例を示す図である。
【図１３】配光変更ユニットが支持する光学部材の変形例を示す図である。
【発明を実施するための形態】
【００１５】
以下、図面を参照して本発明の実施形態について説明する。
（第１実施形態）
図１は、本実施の形態に係るＬＥＤ照明器具１の全体像を示した図である。
ＬＥＤ照明器具１は、反射鏡ユニット５と、ＬＥＤ光源ユニット１０とを備える。
反射鏡ユニット５は、反射鏡４と、反射鏡４の先端の照射開口３と、照射開口３に固定される前面ガラス（光透過部材）２とを備える。
前面ガラス２は照射開口３の周縁部に所謂かしめ結合されており、前面ガラス２の外周部と照射開口３の周縁部は防水された状態である。また、反射鏡ユニット５は、図５に示すように、反射鏡４の後端に開口６と、開口６の周囲に備えられる光源ユニット接続部（取付けフランジ）７と、反射鏡４の後端部に備えられるアーム取付け片８と、アーム取付け片８に取付けられたアーム９とを備える。
上記ＬＥＤ光源ユニット１０は、反射鏡４の後端の開口６に、取付けフランジ７を介して防水状態で取付けられている。
【００１６】
図２、及び図３は、ＬＥＤ光源ユニット１０を示す。
ＬＥＤ光源ユニット１０は、ベースプレート１８と、ベースプレート１８に連結されたヒートシンク１９と、ヒートシンク１９を覆う樹脂製カバー２０とを備える。ベースプレート１８の中央部には、ＣＯＢ型ＬＥＤ１７が配置されている。ＣＯＢ型ＬＥＤ１７は、多数のＬＥＤをＬＥＤ基板３１の上に密集配置して平面視略円形（四角形も有り得る）の面状の発光部３１Ａを形成したチップオンボード（Ｃｈｉｐ  Ｏｎ  Ｂｏａｒｄ：ＣＯＢ）構造の発光デバイスである。ＣＯＢ型ＬＥＤ１７は、多数のＬＥＤが密集配置されていることから大光量、及び高輝度なＬＥＤ光源となる。本構成では、電源ボックス（不図示）が、ＬＥＤ光源ユニット１０と別置である。したがって、電源値を変化させることで、複数の光学性能を包括可能なＬＥＤ光源ユニット１０を構成できる。
ＣＯＢ型ＬＥＤ１７の上には、シリコンパッキン１６と、絶縁シート１５と、ＬＥＤ光源防水パッキン１４と、が配置されている。
【００１７】
ＬＥＤ光源防水パッキン１４と密着して、相フランジ１３が配置され、相フランジ１３は、反射鏡ユニット５の取付けフランジ７に接合される。相フランジ１３には取っ手１３ａが取付けられており、この取っ手１３ａを持ってＬＥＤ照明器具へのリニューアルの作業を容易に行うことができる。相フランジ１３の上には、ＬＥＤ押え金具１２と、ＬＥＤ光源反射鏡１１と、が配置されている。
なお図４に示すように、ＬＥＤ光源反射鏡１１の前面開口にアクリル板などの光透過性を有する保護カバー３０を配置してもよい。
保護カバー３０は、ＬＥＤ光源ユニット１０を、例えば単体で使用する場合、ＬＥＤ光源の保護と安全性の観点から充電部保護のため設けられる。ＣＯＢ型ＬＥＤ１７に直接手を触れさせないため、保護カバー３０には手指が入らない大きさの通気孔２９、２９…を複数設ける構成としてもよい。この通気孔２９、２９…は充電部保護の効果と、保護カバー３０を装着することによるＬＥＤの温度上昇による光学性能（光出力）の低下を抑える効果を同時に奏する。また、通気孔２９、２９…は、図４に示すように、保護カバー３０のカバー面に同心的に配置されている。この通気孔２９、２９…は円弧状の長孔で形成され、保護カバー３０の中心から外に向けて円環状に等間隔で配置される。この配置により、カバー面に通気孔２９、２９…の有る箇所と、無い箇所からの透過光による照射面での照度ムラを抑える効果を合わせて奏する。
【００１８】
ベースプレート１８は、ＣＯＢ型ＬＥＤ１７が直接的に取付けられる基板取付け部材であり、高熱伝導材である。例えば金属であるアルミニウムから形成されている。ベースプレート１８は、図２に示すように、略円板状に形成され、その表面の中央にＬＥＤ収容凹部４０が設けられており、このＬＥＤ収容凹部４０に上記ＣＯＢ型ＬＥＤ１７のＬＥＤ基板３１が収められ、その上面がシリコンパッキン１６と絶縁シート１５とにより覆われている。なお、ＣＯＢ型ＬＥＤ１７からＬＥＤ収容凹部４０への伝熱を促進するために、両者の接触面に熱伝導グリス等を塗布し、或いは、熱伝導シートを介在させて両者間の熱抵抗を小さくしても良い。
【００１９】
ベースプレート１８の表面には、ＬＥＤ収容凹部４０を囲む環状のＬＥＤ押え金具１２がネジ止め固定され、このＬＥＤ押え金具１２にＬＥＤ光源反射鏡１１が固定される。このＬＥＤ押え金具１２は、ベースプレート１８へのネジ止め固定に伴い、ＣＯＢ型ＬＥＤ１７のＬＥＤ基板３１、シリコンパッキン１６、絶縁シート１５、ＬＥＤ光源防水パッキン１４、及び相フランジ１３を上から押さえ付けるように構成されている。これにより、ＬＥＤ押え金具１２の固定によってＣＯＢ型ＬＥＤ１７の固定も兼ねられることとなり、ベースプレート１８へのＣＯＢ型ＬＥＤ１７のネジ止め固定等が不要となる。
【００２０】
ＬＥＤ光源反射鏡１１は、回転放物体や回転楕円体などの回転体形状であり、その内面に所定の配光制御に応じて決定された回転放物反射面や回転楕円反射面が形成された凹面鏡である。このＬＥＤ光源反射鏡１１は、樹脂材を母材とし、その表面に反射材をコーティングすることで構成されており、金属材から形成する場合に比べて軽量化が図られている。また、このＬＥＤ光源反射鏡１１は、ねじ込み式で上記ＬＥＤ押え金具１２に取付け固定される。具体的には、ＬＥＤ光源反射鏡１１の基端部３５Ａの縁部には、ＬＥＤ押え金具１２の溝に係合する鍔部３３が設けられている。ＬＥＤ押え金具１２には係合溝４２Ａが設けられ、係合溝４２Ａに上記鍔部３３が入り込み、ＬＥＤ光源反射鏡１１の回転に伴って鍔部３３が係合溝４２Ａに脱落不能に係合する。
ＬＥＤ光源反射鏡１１の固定時には、この係合溝４２Ａに鍔部３３をねじ込むことで、別途に工具を用いることなくＬＥＤ光源反射鏡１１を固定できる。また、ＬＥＤ光源反射鏡１１の鍔部３３も樹脂材で形成されており、係合溝４２Ａと鍔部３３の間にバネ力（弾性力）が働き、両者の結合力が高められている。
【００２１】
このＬＥＤ光源ユニット１０では、ベースプレート１８とＬＥＤ押え金具１２の間が、絶縁シート１５により絶縁され、ＬＥＤ押え金具１２と相フランジ１３の間が、ＬＥＤ光源防水パッキン１４により絶縁される。
したがって、ベースプレート１８に取付けられたＣＯＢ型ＬＥＤ１７と、相フランジ１３の間は絶縁される。これによれば、図１に示すように、反射鏡ユニット５の取付けフランジ７と、ＬＥＤ光源ユニット１０の相フランジ１３とを接合する際に、ＣＯＢ型ＬＥＤ１７と、反射鏡ユニット５の間は絶縁されており、ＣＯＢ型ＬＥＤ１７のアース線の接続などが不要になる。
【００２２】
ヒートシンク１９は、ＣＯＢ型ＬＥＤ１７からベースプレート１８に伝えられた熱を放熱する放熱機構である。具体的には、ヒートシンク１９は、複数枚の放熱フィン４８と、ベースプレート１８に伝えられたＣＯＢ型ＬＥＤ１７の熱を放熱フィン４８に伝える複数本のヒートパイプ４９とを備えている。
放熱フィン４８は、略矩形状の板材であり、熱伝導性に優れ軽量な金属材であるアルミニウム板で形成されている。多数枚の放熱フィン４８を上記ヒートパイプ４９のそれぞれが貫通し、これらの放熱フィン４８が互いに所定間隔をあけるように積層して一体に束ねられている。これら放熱フィン４８は、支持金具（不図示）によって、ベースプレート１８の裏面から垂直に延びるように配置される。支持金具（不図示）は、放熱フィン４８とベースプレート１８の裏面との間に所定の隙間を設けて支持し、この隙間を通じてベースプレート１８の裏面と放熱フィン４８を空気が流通可能となり、ベースプレート１８の裏面の熱溜まりが抑制される。
本構成では、ヒートシンク１９を覆って樹脂製カバー２０が設けられている。この樹脂製カバー２０には、ヒートシンク１９に対し、垂直に多数の空気の流通孔が設けられている。
【００２３】
図５は、ＬＥＤ照明器具１の分解斜視図である。
反射鏡ユニット５において、反射鏡４の後端開口６の周囲には、円環状の取付けフランジ７が配置されている。取付けフランジ７は内周部に周溝（不図示）を備え、この周溝（不図示）にはＯリング５１が配置されている。
また、取付けフランジ７は、外周部に周方向に３等分に配置された止め具５２を備えている。３つの止め具５２は同じ構造であり、反射鏡４の後端に固定された一対の耳片５３と、一対の耳片５３の間に、一端が回動自在に支持されたボルト５４と、ボルト５４の他端に螺合した蝶ナット５５とを備えている。
ＬＥＤ光源ユニット１０において、反射鏡ユニット５の取付けフランジ７に接合される相フランジ１３は、図２に示すように、Ｏリング５１に密着する密着面１３ｂと、密着面１３ｂの外周側で、止め具５２と相対する係止片５７とを備える。この係止片５７には、取付けフランジ７に相フランジ１３が接合されたとき、図１に示すように、上記ボルト５４が係合自在な溝部５７ａが形成されている。
上述した構成の取付けフランジ７と、相フランジ１３とを接合させ、止め具５２と係止片５７とを連結させることにより、反射鏡ユニット５に対し、ＬＥＤ光源ユニット１０が、Ｏリング５１の機能と共に防水の状態で結合される。
【００２４】
なお本構成において、ＬＥＤ光源ユニット１０は、ＬＥＤ光源反射鏡１１により光の配光を制御する。したがって、ＬＥＤ照明器具１では、反射鏡ユニット５の反射鏡４は、単に防水構造を提供するだけであり、光の配光の制御には寄与しない。
またＬＥＤ光源反射鏡１１は必須のものではない。例えば、ＣＯＢ型ＬＥＤ１７を使用したとして、ＬＥＤ光源反射鏡１１の代わりに配光用のレンズを用いてもよい。
【００２５】
図６は、ＨＩＤ照明器具１００の分解斜視図である。
ＨＩＤ照明器具１００は、ＨＩＤランプユニット７１と、上述した実施の形態の反射鏡ユニットと同じ構成を備えた反射鏡ユニット５と、を備えている。すなわち、この反射鏡ユニット５は、少なくとも、上述した構成の取付けフランジと共通の構造を有する取付けフランジ７を備えている。
ＨＩＤランプユニット７１は、光源たるＨＩＤランプ７２と、このＨＩＤランプ７２やソケット（図示せず）等を収容する略筒状の光源筒７３とを備え、この光源筒７３の開口端７３Ａには、相フランジ１１３を備えている。
【００２６】
上記相フランジ１１３は、ＨＩＤランプユニット７１を反射鏡ユニット５に取り付けるために配置されている。
反射鏡ユニット５の取付けフランジ７は、上述したように、内周部に周溝（不図示）を備え、この周溝（不図示）にはＯリング５１が配置され、かつ、外周部には周方向に３等分に配置された止め具５２を備えている。
３つの止め具５２は同じ構造であり、反射鏡４の後端に固定された一対の耳片５３と、一対の耳片５３の間に、一端が回動自在に支持されたボルト５４と、ボルト５４の他端に螺合した蝶ナット５５とを備えている。
【００２７】
ＨＩＤランプユニット７１において、反射鏡ユニット５の取付けフランジ７に接合される相フランジ１１３は、Ｏリング５１に密着する密着面（不図示）と、密着面（不図示）の外周側で、止め具５２と相対する係止片１５７とを備える。この係止片１５７には、取付けフランジ７に相フランジ１１３が接合されたとき、上記ボルト５４が係合自在な溝部１５７ａが形成されている。
上述した構成の取付けフランジ７と、相フランジ１１３とを接合させ、止め具５２と係止片１５７とを連結させることにより、反射鏡ユニット５に対し、ＨＩＤランプユニット７１が、Ｏリング５１の機能と共に防水の状態で結合される。
【００２８】
図７は、ＪＩＬ ５００４-２０１２  公共施設用照明器具（一般社団法人 日本照明工業会刊行）に規定されたＨＩＤ照明器具１００を示す。
公共施設用照明器具は、一般社団法人  日本照明工業会の公共施設用照明器具標準委員会が定める共通仕様であり、公共施設照明器具標準形名が同一ならば、メーカーを問わず同等の器具設計をされた器具となるため、器具を設置する施設に合わせた器具の選択をする際に有用となる。
ここに規定されたサイズのＨＩＤ照明器具１００の場合には、ＨＩＤランプユニット７１の代わりにＬＥＤ光源ユニット１０を取付けたとき、反射鏡４の内側に籠る熱でＣＯＢ型ＬＥＤ１７の性能が劣化せず、防水性も確保できることが判明している。
このＨＩＤ照明器具１００では、全長ａ、反射鏡４の先端の照射開口３の幅ｂ、アーム９の下端からＨＩＤランプ７２のセンターまでの高さｃ、アーム９上端の回転中心とアーム９下端のボルト孔位置との距離ｄとする。
この実施の形態の適用は、全長ａが、３８０〜４７０ｍｍで、幅ｂが、３５０〜４４０ｍｍで、高さｃが、２５０〜３６０ｍｍで、かつ、高さｄが、１８０〜２７５ｍｍにあるか、或いは、全長ａが、４９０〜６００ｍｍで、幅ｂが、５１０〜５９０ｍｍで、高さｃが、２９０〜４２０ｍｍで、かつ、距離ｄが、１８０〜３２５ｍｍにある、ＨＩＤ照明器具１００に、好適である。
【００２９】
本実施の形態では、ＬＥＤ照明器具１の反射鏡ユニット５に対し、ＬＥＤ光源ユニット１０を取り付ける際には、取付けフランジ７と、相フランジ１３とを接合させ、止め具５２と係止片５７とを連結させることにより、反射鏡ユニット５に対し、ＬＥＤ光源ユニット１０を、Ｏリング５１の機能と共に防水の状態で結合できる。
また、ＨＩＤ照明器具１００の反射鏡ユニット５に対し、ＨＩＤランプユニット７１を取り付ける際には、取付けフランジ７と、相フランジ１１３とを接合させ、止め具５２と係止片１５７とを連結させることにより、反射鏡ユニット５に対し、ＨＩＤランプユニット７１を、Ｏリング５１の機能と共に防水の状態で結合できる。
【００３０】
したがって、例えば、一つの大空間を多数のＨＩＤ照明器具１００を用いて照明する現場において、ＨＩＤ照明器具１００の一つ、または二つにランプ切れがあったとき、全体の照明デザインを崩すことなく、ランプ切れのＨＩＤランプユニット７１のみを、ＬＥＤ光源ユニット１０に順次、置き換えが可能となる。
ＨＩＤランプユニット７１を、現場状況に応じ、順々に、ＬＥＤ光源ユニット１０に置き換えていくことが可能となるため、経済的負担を減らしつつ、全体の照明デザインを維持しながら、省エネルギー化を達成できる。
【００３１】
なお、本実施形態の反射鏡ユニット５において、周方向に３等分に配置された止め具５２を備える取付けフランジ７を説明したが、止め具の構成はこれに限定されない。例えば、パチン錠（スナップ・ファスナー式）などの止め具であってもよい。
【００３２】
（第２実施形態）
第１実施形態では、内部にＨＩＤランプ７２が配置され、当該ＨＩＤランプ７２の配光を制御するように構成された反射鏡４を有し、アーム９等が組み付けられた反射鏡ユニット５に、ＨＩＤランプユニット７１に代えて、ＣＯＢ型ＬＥＤ１７から出射された光を反射により反射鏡４に入射する光を減らし、当該反射鏡４と独立して配光を制御するＬＥＤ光源反射鏡１１を有したＬＥＤ光源ユニット１０を取り付けてＬＥＤ照明器具１を構成することで、光源をＬＥＤとする照明器具のリニューアルを容易とした。
本実施形態では、ＬＥＤ照明器具１において、ＬＥＤ光源ユニット１０を共通化しつつも、器具の配光が異なる製品ラインナップを容易に実現できるＬＥＤ照明器具２００について説明する。なお、本実施形態の説明において参照する図面に示された部材のうち、第１実施形態で説明した部材については、同一の符号を付し、その説明を省略する。
【００３３】
図８は本実施形態に係るＬＥＤ照明器具２００の構成を示す斜視図であり、図９はＬＥＤ照明器具２００の正面図である。図１０はＬＥＤ照明器具２００の一部断面図である。
ＬＥＤ照明器具２００は、第１実施形態において説明したＬＥＤ照明器具１が備える反射鏡ユニット５の反射鏡４の中に、配光変更ユニット２６０を備えるものである。
配光変更ユニット２６０は、ＬＥＤ照明器具１の配光を変更するユニットである。上述のとおり、ＬＥＤ照明器具１の光源ユニットであるＬＥＤ光源ユニット１０は、配光制御部材としてのＬＥＤ光源反射鏡１１を備え、ＬＥＤ照明器具１の配光は、反射鏡ユニット５の反射鏡４には関係なく、ＬＥＤ光源反射鏡１１によって決定されている。すなわち、配光変更ユニット２６０は、ＬＥＤ光源ユニット１０が備えるＬＥＤ光源反射鏡１１によって配光制御された光が入射され、当該光の配光を変更する。
【００３４】
図１１は、配光変更ユニット２６０の構成を説明するための組立図である。
具体的には、配光変更ユニット２６０は、ＬＥＤ光源反射鏡１１によって配光された光の配光制御する光学部材の一例たる配光変更用反射鏡２６１と、当該配光変更用反射鏡２６１を、ＬＥＤ照明器具１の外殻を構成する反射鏡４の中に支持する支持部材２６２とを備えている。
配光変更用反射鏡２６１は、ＬＥＤ照明器具１の光の拡がり角を変更する光学部品であり、図１０、及び図１１に示すように、ＬＥＤ照明器具１の光軸Ｃを回転軸とした回転体形状を成している。図示例の配光変更用反射鏡２６１は、ＬＥＤ照明器具１の拡がり角を狭めて狭角配光を得るものである。なお、配光変更用反射鏡２６１は、狭角配光に代えて、広角や中角などの他の出射角度に配光を変更するものであっても良い。これにより、配光変更用反射鏡２６１を交換して出射角度を適宜に選択できる。
【００３５】
この配光変更用反射鏡２６１の光入射側の開口２６１Ａには、その周縁部に係合片２６３が設けられ、この係合片２６３がＬＥＤ光源反射鏡１１の先端の照射開口１１Ａの周縁に係合し、図１０に示すように、配光変更用反射鏡２６１がＬＥＤ光源反射鏡１１の照射開口１１Ａに連接される。これにより、ＬＥＤ光源反射鏡１１の照射開口１１Ａから出射する光が配光変更用反射鏡２６１に入射し、当該配光変更用反射鏡２６１によって配光が制御される。
なお、配光変更用反射鏡２６１がＬＥＤ光源反射鏡１１に隙間なく接続される必要はなく、多少の隙間があっても良い。
【００３６】
支持部材２６２は、反射鏡４に固定されて、上記配光変更用反射鏡２６１を反射鏡４の内部に位置するように支持するものであり、反射鏡４に結合される第１枠体２６５と、上記配光変更用反射鏡２６１を支持する第２枠体２６６と、第１枠体２６５に第２枠体２６６を支持する支持棒２６７とを備えている。
第１枠体２６５は、反射鏡４の照射開口３の開口形状に対応した形状の枠体であり、この反射鏡４の照射開口３に結合される。
具体的には、図１１に示すように、反射鏡４の照射開口３の周縁部２０３Ａには、断面コ字状に凹む係合凹部２６９Ａを有したカシメ片２６９が全周に亘って設けられている。このカシメ片２６９の係合凹部２６９Ａには、第１枠体２６５の周縁部２６５Ａ、及び前面ガラス２の周縁部２Ａが係合され、その状態でカシメ片２６９が照射開口３の全周に亘ってカシメ加工されことで、これら第１枠体２６５、及び前面ガラス２が所謂カシメ結合される。このカシメ片２６９が照射開口３の全周に亘ってカシメ加工されることで、当該カシメによって照射開口３が防水される。
【００３７】
また、前面ガラス２の周縁部２Ａには、図１１に示すように、防水用のパッキン２７０が装着されており、この防水用のパッキン２７０が前面ガラス２、及び第１枠体２６５とともにカシメ片２６９にカシメ結合されることで、照射開口３の防水性が高められる。
【００３８】
次いで第２枠体２６６は、配光変更用反射鏡２６１の照射開口２６１Ｂの周縁部に設けられた係止片２７１がネジ止めにより交換自在に結合される枠体である。第２枠体２６６と配光変更用反射鏡２６１が交換自在に結合されることで、配光変更用反射鏡２６１を他の配光の配光変更用反射鏡２６１に交換でき、多種類の配光変更用反射鏡２６１の間で配光変更ユニット２６０の共用化を図ることができる。
なお、第２枠体２６６と配光変更用反射鏡２６１の結合は、ネジ止め構造に限らず、当該結合を解いて配光変更用反射鏡２６１を交換自在にする構造であれば、任意の結合構造を用いることができる。
【００３９】
支持棒２６７は、第２枠体２６６から放射状に延びて第１枠体２６５に連結される棒状の部材である。この支持棒２６７は、反射鏡４の照射開口３を横断して延びるものの、支持棒２６７が横断する箇所には光が当たらず配光に影響を及ぼさないため、支持棒２６７の本数や形状等は、意匠性に基づいて適宜に決定することができる。
【００４０】
図１１に示すように、ＬＥＤ照明器具２００の組立時には、配光変更用反射鏡２６１を予め配光変更ユニット２６０に固定し、当該配光変更ユニット２６０と前面ガラス２を反射鏡４にカシメ結合して組み立てが行われる。
【００４１】
このように、本実施形態によれば、反射鏡４と、ＣＯＢ型ＬＥＤ１７と、反射鏡４の内部に設けられ、ＣＯＢ型ＬＥＤ１７から出射された光を反射により反射鏡４に入射する光を減らすＬＥＤ光源反射鏡１１と、ＬＥＤ光源反射鏡１１から出射された光の配光を変更する配光変更用反射鏡２６１と、を有するＬＥＤ照明器具２００であって、配光変更用反射鏡２６１は交換自在である構成とした。
配光変更用反射鏡２６１を交換することで、ＬＥＤ光源ユニット１０のＬＥＤ光源反射鏡１１の配光を変えずとも、配光を容易に変更できる。
【００４２】
また本実施形態によれば、配光変更用反射鏡２６１を交換することにより出射角度が選択可能である。
これによれば、出射角度を簡単に変更できる。
【００４３】
また本実施形態によれば、配光変更用反射鏡２６１は反射鏡４の照射開口３に全周に亘ってカシメ結合される第１枠体２６５により支持されている構成とした。
これによれば、カシメ結合により、配光変更用反射鏡２６１が固定されると同時に、照射開口３の防水構造が簡単に得られる。
【００４４】
また本実施形態によれば、反射鏡４の照射開口３を塞ぐ前面ガラス２と、前面ガラス２の周縁部２Ａの全周に亘って設けられたパッキン２７０と、を備え、前面ガラス２、パッキン２７０、及び第１枠体２６５を、反射鏡４の照射開口３に全周に亘ってカシメ結合した。
これにより、照射開口３に高い防水性能の防水構造が簡単に得られる。
【００４５】
なお、本実施形態において、配光変更ユニット２６０は、配光変更用反射鏡２６１に代えて他の光学部材を支持しても良い。
例えば図１２に示すように、第２枠体２６６の内縁２６６Ａにレンズ３６１を係合させ、当該レンズ３６１の外周縁を押さえる押さえリング３６２を第２枠体２６６にネジ止めすることで、光学部材たるレンズ３６１を支持する構成としても良い。
【００４６】
また例えば図１３に示すように、レンズ３６１に代えて、第２枠体２６６を通過する光を部分的に遮光するルーバー４６２を第２枠体２６６の内縁２６６Ａに係合させ、押さえリング３６２で押さえて支持する構成としても良い。
このルーバー４６２は、同心円状に配置された複数の遮光筒４６２Ａ、４６２Ｂ、４６３Ｃを備え、これら遮光筒４６２Ａ、４６２Ｂ、４６３Ｃに入射した光が遮光される。
【００４７】
さらに、配光変更用反射鏡２６１に組合せて、上記レンズ３６１およびルーバー４６２を配光変更用反射鏡２６１に対する第二の光学部材として使用することもできる。
【００４８】
また第２枠体２６６の正面視形状は円形に限らず、支持対象の光学部材に応じて任意に変形できる。
【００４９】
なお、上述した第１、及び第２実施形態は、あくまでも本発明の一態様を例示したものであって、本発明の趣旨を逸脱しない範囲で任意に変形、及び応用が可能である。
【００５０】
例えば、第１、及び第２実施形態において、前面ガラス２に代えて、反射鏡４の照射開口３を覆う透明な材料から成る部材であれば、任意の透明部材を前面カバーとして用いることができる。
【００５１】
また例えば、第１、及び第２実施形態において、ＬＥＤ光源ユニット１０に代えて、例えば有機ＥＬ等の任意の発光素子を発光部３１Ａに備えた発光素子光源ユニットを用いることができる。
【００５２】
また例えば、第１、及び第２実施形態において、ＬＥＤ光源ユニット１０は、反射鏡４に入射する光を減らす配光制御部材としてＬＥＤ光源反射鏡１１を備えるが、これに限らない。すなわち、ＬＥＤ光源反射鏡１１に代えて、ＬＥＤ光源ユニット１０から出射された光を屈折により反射鏡４に入射する光を減らす配光制御部材として配光用のレンズを備えても良い。
【符号の説明】
【００５３】
１、２００  ＬＥＤ照明器具（照明器具）
２  前面ガラス（前面カバー）
２Ａ  周縁部
３  照射開口
４  反射鏡
５  反射鏡ユニット
９  アーム
１０  ＬＥＤ光源ユニット（発光素子光源ユニット）
１１  ＬＥＤ光源反射鏡（配光制御部材）
１１Ａ  照射開口
１７  ＣＯＢ型ＬＥＤ（発光素子）
３１Ａ  発光部
７２  ＨＩＤランプ（ランプ光源）
２６０  配光変更ユニット
２６１  配光変更用反射鏡（光学部材）
２６１Ｂ  照射開口
２６２  支持部材
２６５  第１枠体（枠体）
２６６  第２枠体
２６９  カシメ片
２６９Ａ  係合凹部
２７０  パッキン
３６１  レンズ（光学部材、第二の光学部材）
４６２  ルーバー（光学部材、第二の光学部材）
【図１】
2015181100.tif 000003
【図２】
2015181100.tif 000004
【図３】
2015181100.tif 000005
【図４】
2015181100.tif 000006
【図５】
2015181100.tif 000007
【図６】
2015181100.tif 000008
【図７】
2015181100.tif 000009
【図８】
2015181100.tif 000010
【図９】
2015181100.tif 000011
【図１０】
2015181100.tif 000012
【図１１】
2015181100.tif 000013
【図１２】
2015181100.tif 000014
【図１３】
2015181100.tif 000015